(57)【要約】      （修正有）【課題】段ボール箱作成用段ボールシートの厚さの如何に拘らず、極めて容易に開披することができる易開披段ボール箱の提供。【解決手段】少なくとも天板１１の三方向に連成された封止用外フラップ１１ａ、１１ｂを備えているラップアラウンド型段ボール箱１０であって、その天板１１前端部に連成された封止用外フラップ１１ａに、側板１４との間に間隙を形成する薄手部Ｑを有することを特徴とする。【選択図】図１
0003203215.tif 000002
【実用新案登録請求の範囲】
【請求項１】
少なくとも天板の三方向に連成された封止用外フラップを備えているラップアラウンド型段ボール箱であって、その天板前端部に連成された封止用外フラップに、側板との間に間隙を形成する薄手部を有することを特徴とする易開披段ボール箱。
【請求項２】
天板両側部に連成された封止用外フラップにも、封止用内フラップとの間に間隙を形成する薄手部を有することを特徴とする請求項１記載の易開披段ボール箱。
【請求項３】
薄手部が、封止用外フラップの長手端縁中央領域に形成されていることを特徴とする請求項１又は２記載の易開披段ボール箱。
【請求項４】
薄手部が、半径０．５〜２５ｍｍの半円状、或いは、深さ０．５〜２５ｍｍ、幅０．５〜１２０ｍｍのバスタブ断面状を呈していることを特徴とする請求項１〜３の何れか１項記載の易開披段ボール箱。
【請求項５】
薄手部が、その端縁部に指係止用切除部を有することを特徴とする請求項１〜４の何れか１項記載の易開披段ボール箱。
【請求項６】
指係止用切除部が、半径０．３〜１５ｍｍの半円状、或いは、深さ０．３〜１５ｍｍ、幅０．５〜１００ｍｍのバスタブ断面状を呈していることを特徴とする請求項１〜５の何れか１項記載の易開披段ボール箱。
【請求項７】
薄手部が、段ボールシートのプレス処理部から成ることを特徴とする請求項１〜６の何れか１項記載の易開披段ボール箱。
【請求項８】
封止用外フラップが、薄手部を除いた両端部領域において、側板又は側板と封止用内フラップに点接着されていることを特徴とする請求項１〜７の何れか１項記載の易開披段ボール箱。
【請求項９】
天板と、天板両側部に連成された封止用外フラップとの境界部に、天板開披用破断線を有することを特徴とする請求項１記載の易開披段ボール箱。
【考案の詳細な説明】
【技術分野】
【０００１】
本考案は容易に開披することができる段ボール箱に関する。
【背景技術】
【０００２】
従来、各種製品の包装、輸送、保管に使用される段ボール箱としては、直方体状の箱が一般的である。斯かる直方体状の段ボール箱の一種として、天板に連成された封止用外フラップを側板の外側に貼着して梱包するラップアラウンド型段ボール箱が汎用されている。
しかしながら、ラップアラウンド型段ボール箱は、封止用外フラップと側板が接着剤により強固に貼着されているため、当該封止用外フラップを側板から剥離して開披するのが困難と云う問題があった。
【０００３】
この問題を解消するために、封止用外フラップと側板を点接着し、開封時に側板の上部を内側に軽く押し込めば、前記封止用外フラップの中央域と側板との間に間隙が広がるので、当該間隙に指を差し込み、引き上げることにより、封止用外フラップを側板から剥離する技術が既に報告されている（例えば、特許文献１参照）。
しかしながら、重量のある比較的大きな荷物を梱包する場合、厚手の段ボールシートを使用するため、上記の技術によっては、開封時に側板の上部を内側に軽く押し込んでも、図６に示す如く、封止用外フラップと側板との間に間隙が形成されにくいので、封止用外フラップを側板から剥離して開披することは困難なのが実情であった。
【０００４】
また、封止用外フラップの剥離開披を容易にするために、突出させた摘みを形成した上フラップと下フラップとを部分的に重合せしめたものも報告されている（例えば、特許文献２参照）。
しかしながら、この技術は、一部突出した形状に段ボールシートを型抜きしなければならないため、製造コストが高くなることが避けられないと共に、上フラップと下フラップの重合部における段差発生に伴なうフラップ糊付け加工が困難になるのが実情であった。
【先行技術文献】
【特許文献】
【０００５】
【特許文献１】実開平４−６８８１８号明細書
【特許文献２】特開平９−２０７９３１号公報
【考案の概要】
【考案が解決しようとする課題】
【０００６】
本考案は、上記の如き従来の問題と実情に鑑みてなされたものであり、段ボール箱作成用段ボールシートの厚さの如何に拘らず、一般的な型抜きと糊付け加工で、極めて容易に開披作業を行うことができる段ボール箱を提供することを課題としている。
【課題を解決するための手段】
【０００７】
本考案者は、上記の課題を解決すべく鋭意検討を重ねた結果、ラップアラウンド型段ボール箱の封止用外フラップの一部に、厚さが薄い部分を設ければ、当該薄い部分と側板との間に、常時間隙が形成されることを見い出し、本考案を完成した。
【０００８】
すなわち、本考案は、少なくとも天板の三方向に連成された封止用外フラップを備えているラップアラウンド型段ボール箱であって、その天板前端部に連成された封止用外フラップに、側板との間に間隙を形成する薄手部を有することを特徴とする易開披段ボール箱により上記課題を解決したものである。
【考案の効果】
【０００９】
本考案によれば、封止用外フラップにおける厚手部と薄手部の厚さの差により、封止用外フラップと側板との間に、使用する段ボールシートの厚さの如何に拘らず、常時間隙が形成されるので、当該間隙に指を差し込み、引き上げることにより、極めて容易に封止用外フラップを側板から剥離しつつ、天板を全面開披することができる。
しかも、本考案は、格別摘み部を設けずとも、上記の如く指差し込み用間隙が形成されるので、従来と同様な段ボールシートの型抜き、糊付け加工、組み立て作業により、効率良く、しかも安価に易開披段ボール箱を製造して提供することができる。
【図面の簡単な説明】
【００１０】
【図１】第１の実施の形態に係る本考案易開披段ボール箱の斜視説明図。
【図２】第１の実施の形態に係る本考案易開披段ボール箱の展開説明図。
【図３】第１の実施の形態に係る本考案易開披段ボール箱の要部拡大断面説明図。
【図４】第２の実施の形態に係る本考案易開披段ボール箱の斜視説明図。
【図５】第１の実施の形態に係る本考案易開披段ボール箱の展開説明図。
【図６】従来段ボール箱の要部拡大断面説明図。
【考案を実施するための形態】
【００１１】
以下本考案の実施の形態を図面と共に説明する。
【００１２】
図１〜図３は、本考案の第１の実施の形態を示すもので、１０はラップアラウンド型段ボール箱、１１はその天板、１２は折り線Ｌを介して天板１１に連成された側板、１３は折り線Ｌを介して側板１２に連成された底板、１４は折り線Ｌを介して底板１３に連成された側板である。また、天板１１には、折り線Ｌを介して封止用外フラップ１１ａ，１１ｂ，１１ｃが連成されている。また、側板１２には、折り線Ｌを介して封止用内フラップ１２ａ，１２ｂが連成されている。また、底板１３には、折り線Ｌを介して封止用外フラップ１３ａ，１３ｂが連成されている。また、側板１４には、折り線Ｌを介して封止用内フラップ１４ａ，１４ｂが連成されている。
【００１３】
天板１１の前端部に連成された封止用外フラップ１１ａには、図３に示すように、側板１４との間に間隙Ｐを形成する薄手部Ｑが形設されている。この薄手部Ｑの具体的形設部位としては、封止用外フラップ１１ａの長手端縁中央領域が、指による効率的な開披操作性の点で特に有利である。また、この薄手部Ｑの具体的な大きさ・形状としては特に限定されないが、半径０．５〜２５ｍｍ程度の半円状、或いは、深さ０．５〜２５ｍｍ程度、幅０．５〜１２０ｍｍ程度のバスタブ断面状を呈しているものが、指の挿入性の点で特に有利である。
また、この薄手部Ｑは、ラップアラウンド型段ボール箱の組み立てに用いられる段ボールシートのプレス処理部で構成するのが、段ボール罫線プレス加工を利用して薄手部を形設することができるので、製造効率の点で特に有利である。
【００１４】
更に、この薄手部Ｑの端縁部には、半径０．３〜１５ｍｍの半円状、或いは、深さ０．３〜１５ｍｍ程度、幅０．５〜１００ｍｍ程度のバスタブ断面状を呈している指係止用切除部Ｒを形設するのが、指の係止性の点で特に有利である。
【００１５】
天板１１と、天板１１の両側部に対向連成された封止用外フラップ１１ｂ，１１ｃとの境界部には、図２に示すように、ミシン目等の天板開披用破断線１５が形設されている。
【００１６】
封止用外フラップ１１ａは、薄手部Ｑを除いた両端部領域において、側板１４と点接着するのが、より容易な剥離作用を得る上で有利である。
【００１７】
この第１の実施の形態によれば、図３に示すように、封止用外フラップ１１ａにおける薄手部Ｑと他領域の厚手部との厚さの差により、側板１４との間に間隙Ｐが形成されているので、当該間隙Ｐに指を挿入し、切除部Ｒに指腹を係止しつつ、上方に封止用外フラップ１１ａを引き上げれば、側板１４から封止用外フラップ１１ａが剥離され、次いで天板開披用破断線１５が切離されるので、天板１１を全面的に開披することができる。
【００１８】
図４及び図５は、本考案の第２の実施の形態を示すもので、第１の実施の形態におけるラップアラウンド型段ボール箱１０の天板１１の両側部に対向連成された封止用外フラップ１１ｂ，１１ｃにも、封止用内フラップ１２ａ，１４ａと封止用内フラップ１２ｂ，１４ｂとの間にそれぞれ間隙Ｐを形成する、第１の実施の形態と同様な薄手部Ｑが形設されていると共に、当該薄手部Ｑの端縁部に、第１の実施の形態と同様な指係止用切除部Ｒが形設されている。また、封止用外フラップ１１ｂ，１１ｃも、第１の実施の形態と同様に、封止用内フラップ１２ａ，１４ａ及び１２ｂ，１４ｂとそれぞれ点接着されている。尚、この実施の形態においては、第１の実施の形態における天板開披用破断線１５は特に必要としない。
【００１９】
この第２の実施の形態によれば、天板１１の３つの封止用外フラップ１１ａ，１１ｂ，１１ｃの何れをも容易に剥離し得るので、天板１１を極めて容易に全面開披することができる。
【符号の説明】
【００２０】
１０：ラップアラウンド型段ボール箱
１１：天板
１１ａ，１１ｂ，１１ｃ：封止用外フラップ
１２：側板
１２ａ，１２ｂ：封止用内フラップ
１３：底板
１３ａ，１３ｂ：封止用外フラップ
１４：側板
１４ａ，１４ｂ：封止用内フラップ
１５：天板開披用破断線
Ｐ：間隙
Ｑ：薄手部
Ｒ：指係止用切除部
Ｌ：折り線
【図１】
0003203215.tif 000003
【図２】
0003203215.tif 000004
【図３】
0003203215.tif 000005
【図４】
0003203215.tif 000006
【図５】
0003203215.tif 000007
【図６】
0003203215.tif 000008